(57)【特許請求の範囲】
【請求項１】
板金加工に係る板金設備商品を展示会場に展示して、この板金設備商品の宣伝を行う板金設備商品宣伝システムにおいて、
前記展示会場はＷｅｂサーバと、端末コンピュータとを通信可能に備え、
前記端末コンピュータは、ＣＡＤデータの編集制御を行うＣＡＤ／ＣＡＭ部と、ＣＡＤ／ＣＡＭ操作画面の動画データを記憶する画面操作データメモリと、ＣＡＤデータから作成したＮＣデータを記憶するＮＣデータメモリと、前記展示会場のブースに配置された工作機を撮像機により撮像して生成した撮像データを受信しメモリに記憶する受信手段とを備え、
前記Ｗｅｂサーバはユーザコンピュータから少なくともＣＡＤデータと、前記工作機の特定を行う画面に表示された複数のチャンネルから目的のチャンネル選択に係る選択情報とを受信する手段と、前記工作機を撮影機で撮影した放送用の撮影データを取り込みチャンネルの選択情報と関連づけてメモリに記憶する手段とを備え、
前記ユーザコンピュータがカスタマイズ放送を選択した場合、前記Ｗｅｂサーバは前記ＣＡＤデータから作成したＮＣデータの作成手順に係る画面操作データと、前記ＮＣデータによる前記工作機の加工を撮像した撮像データとを前記端末コンピュータから受信し、前記ユーザコンピュータに送信することを特徴とする板金設備商品宣伝システム。
【請求項２】
ストリーミング機能により前記撮影データに基づく画像をリアルタイムに前記ユーザコンピュータの表示部に表示する手段を備えたことを特徴とする請求項１記載の板金設備商品宣伝システム。
【請求項３】
前記撮影データをデータベース化する手段を備えたことを特徴とする請求項１又は２記載の板金設備商品宣伝システム。
【請求項４】
前記チャンネルの放送内容を時間帯で区分し表示部に表示する手段を備えたことを特徴とする請求項１、２又は３記載の板金設備商品宣伝システム。
【発明の詳細な説明】
【０００１】
【発明の属する技術分野】
この発明は、板金設備商品宣伝システムに関し、さらに詳細には、商品の販売者が自己の商品を展示会場に展示しインターネットを介して効率的に宣伝する板金設備商品宣伝システムに関する。
【０００２】
【従来の技術】
一般に、例えば、工作機械の製造メーカ等は展示会場に板金を加工する工作機械を展示していた。そして、この展示会場に工作機械のユーザ等を招いて新商品の紹介等を行っていた。
【０００３】
また、例えば、セールスエンジニアがユーザ先に直接出向いて新商品の紹介等を行っていた。
【０００４】
【発明が解決しようとする課題】
このような従来の商品展示方法は、以下のような問題があった。
【０００５】
すなわち、ユーザを誘客するメーカ側にとって、特に大企業にとっては多数のユーザを展示会場に招くため経費、手間等が多大に掛かるという問題があった。
【０００６】
また、ユーザ側も展示会場に来場して工作機械の一般的な性能を見学しても、実際に自己の工場等で加工している製品等に適しているのかどうかの判断は困難であるという問題があった。
【０００７】
【課題を解決するための手段】
本発明は、前述のごとき問題に鑑みてなされたもので、請求項１に係る発明は、板金加工に係る板金設備商品を展示会場に展示して、この板金設備商品の宣伝を行う板金設備商品宣伝システムにおいて、前記展示会場はＷｅｂサーバと、端末コンピュータとを通信可能に備え、前記端末コンピュータは、ＣＡＤデータの編集制御を行うＣＡＤ／ＣＡＭ部と、ＣＡＤ／ＣＡＭ操作画面の動画データを記憶する画面操作データメモリと、ＣＡＤデータから作成したＮＣデータを記憶するＮＣデータメモリと、前記展示会場のブースに配置された工作機を撮像機により撮像して生成した撮像データを受信しメモリに記憶する受信手段とを備え、前記Ｗｅｂサーバはユーザコンピュータから少なくともＣＡＤデータと、前記工作機の特定を行う画面に表示された複数のチャンネルから目的のチャンネル選択に係る選択情報とを受信する手段と、前記工作機を撮影機で撮影した放送用の撮影データを取り込みチャンネルの選択情報と関連づけてメモリに記憶する手段とを備え、前記ユーザコンピュータがカスタマイズ放送を選択した場合、前記Ｗｅｂサーバは前記ＣＡＤデータから作成したＮＣデータの作成手順に係る画面操作データと、前記ＮＣデータによる前記工作機の加工を撮像した撮像データとを前記端末コンピュータから受信し、前記ユーザコンピュータに送信する板金設備商品宣伝システムである。
請求項２に係る発明は、ストリーミング機能により前記撮影データに基づく画像をリアルタイムに前記ユーザコンピュータの表示部に表示する手段を備えた請求項１記載の板金設備商品宣伝システムである。
請求項３に係る発明は、前記撮影データをデータベース化する手段を備えた請求項１又は２記載の板金設備商品宣伝システムである。
請求項４に係る発明は、前記チャンネルの放送内容を時間帯で区分し表示部に表示する手段を備えた請求項１、２又は３記載の板金設備商品宣伝システムである。
【０００８】
【発明の実施の形態】
本発明の実施の形態を、図面を参照して説明する。
【０００９】
図１に本例に係る板金設備商品宣伝システム１の概略の構成を示す。本例では商品を工作機（例えば、レーザ加工機、ＮＣタレットパンチプレス、曲げ加工機）に想定して説明する。また、説明を容易にするため２つのブースを例示しているが実際には多数のブースが用意されている。なお、本発明はＷｅｂサーバと、展示会場を合体させることにより、既存のホームページ等では不可能な情報量をユーザに対して提供できるものである。
【００１０】
前記板金設備商品宣伝システム１は、板金加工に係る工作機の新商品が展示される展示会場３と、前記商品を設備投資する板金加工業者Ａに備えられているユーザコンピュータ５と、板金加工業者Ｂに備えられているユーザコンピュータ７とが備えられている。
【００１１】
前記展示会場３には、工作機を展示するブース１１と、ブース１３と、これらの各ブースに備えられた工作機の撮影データを公開するＷｅｂサーバ９とが備えられている。前記ブース１１には、工作機を撮影した撮影データの編集を行いＷｅｂサーバ９に送信する端末コンピュータ１５と、撮影機（例えば、ＣＣＤカメラ）１９と、工作機（例えば、レーザ加工機、ＮＣタレットパンチプレス、曲げ加工機等）１７とが備えられている。前記コンピュータ端末１５には、例えば撮影した撮影データを受信する受信部２１と、前記撮影データを記憶する撮影データメモリ２３と、前記撮影データをＷｅｂサーバ９に送信する送信部２５とが備えられている。
【００１２】
また、ブース１３には、端末コンピュータ２７と、工作機２９と、撮影機（例えば、ＣＣＤカメラ等）３１とが備えられている。前記端末コンピュータ２７は、ユーザコンピュータ７からＷｅｂサーバ９を介してＣＡＤデータ等を受信する受信部３３と、受信したＣＡＤデータを格納するＣＡＤデータメモリ３５と、前記ＣＡＤデータを基にＮＣデータ等を作成するＣＡＤ／ＣＡＭ部３７と、表示部３９とを備えている。また、ＣＡＤ／ＣＡＭ部３７により作成したＮＣデータを記憶するＮＣデータメモリ４１と、ＣＡＤデータからＮＣデータを作成する操作の映像（表示部上）のデータである画面操作データを記憶する画面操作データメモリ４３と、前記撮影データを記憶する撮影データメモリ４７と、撮影機（ＣＣＤカメラ）３１で撮影した撮影データと、前記画面操作データとを送信する送信部４５とを備えている。
【００１３】
前記Ｗｅｂサーバ９には、各端末コンピュータ１５、２７から送信されてくる撮影データを受信し、適正に編集して撮影データベース５１に記憶する蓄積部４９と、ＣＡＤデータ、識別データをユーザコンピュータ５、７から受信する受信部５３と、前記識別データを記憶する識別データメモリ５５と、識別データを参照して撮影データベースから目的の撮影データを検索する検索部５７と、この検索された撮影データを記憶する撮影データメモリ５９と、ユーザコンピュータ７から受信したＣＡＤデータを記憶するＣＡＤデータメモリ６１と、撮影データメモリ５９から撮影データを読み込みユーザコンピュータ５、７に送信し、また、ＣＡＤデータメモリ６１からＣＡＤデータを読み込み端末コンピュータに送信する送信部６３とが備えられている。なお、前記Ｗｅｂサーバ９と、前記端末コンピュータ１５と、前記端末コンピュータ２７とはＬＡＮ６５により通信できるようになっている。
【００１４】
前記ユーザコンピュータ５は、撮影データに基づく画像を表示する表示部６７と、キーボード、マウス等の入力部６９と、選択されたチャンネルの識別のためのデータを記憶する識別データメモリ７１と、この識別データをＷｅｂサーバ９に送信する送信部７３と、Ｗｅｂサーバ９から送信されてきた撮影データを受信する受信部７５と、この撮影データを記憶する撮影データメモリ７７と、前記撮影データを表示部６７に表示させるブラウザ７９とを備えている。
【００１５】
前記ユーザコンピュータ７は、製品図等を作成するＣＡＤ／ＣＡＭ部８１と、この製品図のＣＡＤデータを記憶するＣＡＤデータメモリ８３と、前記ＣＡＤデータをＷｅｂサーバ９に送信する送信部８５とを備えている。
【００１６】
また、Ｗｅｂサーバ９から送信されてきた撮影データを受信する受信部８７と、受信した撮影データを記憶する撮影データメモリ８９と、この撮影データを表示部９３に表示させるブラウザ９１とを備えている。
【００１７】
そして、ユーザコンピュータ５とユーザコンピュータ７とＷｅｂサーバ９とは、ネットワーク（例えば、インターネット等）９５で通信ができるようになっている。
【００１８】
図２〜図１０を参照して、板金設備商品宣伝システム１の動作を説明する。
【００１９】
図２を参照する。ステップＳ２０１では、展示会場３に備えられているＷｅｂサーバ９は他のコンピュータ（ユーザコンピュータ５、ユーザコンピュータ７、端末コンピュータ１５、端末コンピュータ２７等）からのアクセス等を受け付ける状態になっている。
【００２０】
ステップＳ２０３では、判断処理を行う。すなわち、アクセスしてきたコンピュータが端末コンピュータ１５、２７で各ブース１１、１３で撮影された撮影データを送信するためのものである場合、処理をステップＳ２０７に移す。また、アクセスしてきたコンピュータがユーザコンピュータ５、７である場合で一般公開放送が選択されている場合、処理をステップＳ２１５に移す。また、カスタマイズ放送が選択された場合、処理をステップＳ２２７に移す。なお、上記の判断に該当しない場合、処理をステップＳ２０５に移す。
【００２１】
ステップＳ２０５ではＷｅｂサーバ９をダウンさせるかどうかの判断をする。
【００２２】
そして、Ｗｅｂサーバ９をダウンさせないと判断したとき処理はステップＳ２０１に移す。Ｗｅｂサーバ９をダウンさせると判断したときは処理を終了する（例えば、定期点検の場合等）。
【００２３】
ステップＳ２０７〜ステップＳ２１３までの処理はＷｅｂサーバ９が端末コンピュータ１５で撮影したデータを蓄積する動作を示している。ステップＳ２１５〜ステップＳ２２５までの処理はユーザがユーザコンピュータ５を介して、一般公開放送を受信する動作を示している。そして、ステップＳ２２７〜ステップＳ２４３までの処理は、ユーザがユーザコンピュータ７を介してカスタマイズ放送を受信する動作を示している。
【００２４】
図３を参照する。ステップＳ２０７では展示会場３の各ブース１１、１３では工作機１７、２９等の撮影データを作成し、端末コンピュータ１５、２７のメモリに保存する。
【００２５】
ステップＳ２０９では、Ｗｅｂサーバ９に端末コンピュータ１５がアクセスする。
【００２６】
ステップＳ２１１では、Ｗｅｂサーバ９は、端末コンピュータ１５から配信された撮影データを受信し、撮影データベース５１に記憶する。このデータベースには撮影データが蓄積されていくため、過去の放送をユーザが見ることも可能となる。
【００２７】
ステップＳ２１３では、Ｗｅｂサーバ９は受信した撮影データを、一般公開放送用の画面のチャンネル（メニュー）と関連づけて撮影データベースに格納する。続いて、処理をステップＳ２０５に移す。
【００２８】
図４を参照する。ステップＳ２１５では、ユーザコンピュータ５がＷｅｂサイト９にアクセスする。
【００２９】
ステップＳ２１７では、一般公開放送が選択される。
【００３０】
図７は、一般公開放送と、カスタマイズ放送のいずれかを選択する画面７０１を示す。すなわち、ユーザコンピュータ５がＷｅｂサーバにアクセスすると、前記画面７０１が表示される。この画面７０１は一般公開放送ボタン７０３と、カスタマイズ放送ボタン７０５を含む。ユーザは、一般公開放送を参照する場合、一般公開放送ボタン７０３をクリックする。クリックすることにより、一般公開放送のチャンネルを選択する画面が表示される。
【００３１】
図８に一般公開放送の各チャンネルを選択する画面８０１を示す。この画面８０１は以下の項目を含む。すなわち、チャンネル１（ブースＡで紹介が行われているれレーザ加工機の機種名等が表示されている）８０３、チャンネル２（ブースＢで紹介が行われているＮＣタレットパンチプレスの機種名等が表示されている）８０５、チャンネル３（ブースＣで紹介が行われている曲げ加工機の機種名等が表示されている）８０７等の項目を含む。ユーザは各チャンネルの中から目的のチャンネルをクリックして選択する。これにより、各チャンネルの識別データが作成されＷｅｂサーバ９に送信される。
【００３２】
上記では各チャンネルは時間帯による区分はされていないが、リアルタイムの放送がストリーミング機能により実現できるため、各チャンネルの放送内容を時間帯に区分して選択することもできる。これにより、ユーザは見たい工作機の放送の時間を知ることができるため時間を有効に使うことができる。
【００３３】
ステップＳ２１９では、Ｗｅｂサーバ９の受信部５３がチャンネル選択により作成された識別データを受信し識別データメモリ５５に記憶する。
【００３４】
ステップＳ２２１では、Ｗｅｂサーバ９の検索部５７が、識別データを識別データメモリ５５から読み込み、該当する撮影データを撮影データデータベース５１より検索する。例えば、撮影された撮影データは撮影したブース毎の識別のためのデータを含んでいる。そして、送信されてきた識別データにもブース毎の識別のためのデータが含まれている。これにより、各ブース毎の識別データの比較を行い、一致したブースに係る撮影データを抽出する。
【００３５】
ステップＳ２２３では、検索の結果、抽出された撮影データを送信部６３がユーザコンピュータ５へ送信する。
【００３６】
ステップＳ２２５では、ユーザコンピュータ５の受信部８７は撮影データを受信しながら表示部に表示する（例えば、ストリーミング機能により行う）。これにより、リアルタイムな加工を実際に見ることができる。続いて、処理をステップＳ２０５に移して一般公開放送の処理が終了する。
【００３７】
図５を参照する。ステップＳ２２７では、ユーザはユーザコンピュータ７のＣＡＤ／ＣＡＭ部８１により製品の設計を行う。
【００３８】
ステップＳ２２９では、ユーザコンピュータ７はＷｅｂサーバ９にアクセスし、前記ＣＡＤデータを送信する。
【００３９】
図９に作成されたＣＡＤデータを送信する画面９０１を示す。すなわち、ユーザはＣＡＤデータを作成して所定のディレクトリ（フォルダ）に記憶する。この記憶したファイル名等を入力欄９０３に入力する。続いて、送信ボタン９０５をクリックする。これにより、ＣＡＤデータがＷｅｂサーバ９に送信される。また、途中キャンセルするときはキャンセルボタン９０７をクリックする。
【００４０】
ステップＳ２３１では、Ｗｅｂサーバ９の送信部６３がが所定の端末コンピュータ２７へＣＡＤデータを送信する。これにより、端末コンピュータ２７がＣＡＤデータを処理（例えば、ＮＣデータを作成する）することができる。
【００４１】
ステップＳ２３３では、端末コンピュータ２７のＣＡＤ／ＣＡＭ部３７により表示部３９に製品図を表示させてＣＡＤ／ＣＡＭ操作により図面の編集を行う。
【００４２】
そして、ＮＣデータ等を作成する。
【００４３】
ステップＳ２３５では、表示部３９に表示された操作方法を画面操作データとして画面操作データメモリ４３に記憶する。
【００４４】
ステップＳ２３７では、端末コンピュータ２７は受信したＮＣデータをＮＣ工作機に送信する。
【００４５】
ステップＳ２３９では、ＮＣ工作機２９は受信したＮＣデータに制御されて実際の加工を行う。
【００４６】
ステップＳ２４１では撮影機（例えば、ＣＣＤカメラ等）３１により加工中の工作機２９を撮影して撮影データを動画で作成する。
【００４７】
ステップＳ２４３では、撮影データを、Ｗｅｂサーバ９を介して、ユーザコンピュータ７に送信する。同時にＣＡＤ／ＣＡＭ部３７により行われた操作の動画データである画面操作データをユーザコンピュータ７に送信する。
【００４８】
Ｗｅｂサーバ９の送信部４５から送信されてくる撮影データ、画面操作データ等を受信部８７が受信する。そして、ブラウザ９１がストリーミング機能により受信しながら表示部９３に表示する。
【００４９】
図９に撮影データに基づく動画を見る画面１００１を示す。すなわち、ユーザは、ダウンロードボタン１００５をが自動的にクリックされ動画映像が画面１００３に表示される。また、途中でキャンセルするときは、キャンセルボタン１００７をクリックする。
【００５０】
これにより、ユーザはＣＡＤ／ＣＡＭ部３７による操作の動画、及び実際の加工をリアルタイム（例えば、受信したデータを画像に直ちに表示するストリーミング機能等を使用する）に見ることができる。ここで、ストリーミング等の機能によりリアルタイムの放送が行われるため、ユーザは理解できない操作等の質問を展示会場３に問い合わせることができる。この方法は２台のコンピュータを使用する方法。電話等により問い合わせる方法等がある。また質問を受けた展示会場３はリアルタイムに回答をユーザに伝えることができ双方向の通信が可能となる。
【００５１】
そして、ステップＳ２０５に処理を移しカスタマイズ放送を終了する。
【００５２】
なお、本発明は、上述した実施の態様の例に限定されることなく、適宜の変更を加えることにより、その他の態様で実施できるものである。
【００５３】
【発明の効果】
上述の如く本発明に係る板金設備商品宣伝システムによれば、展示会場に各地域からユーザ等を誘客する時間、手間が掛からないという効果がある。
【００５４】
また、ユーザ側も展示会場に来場しなくとも工作機の一般的な性能を知ることができる。そして、カスタマイズ放送により自己の工場等で使用するに適した加工機等を容易に選択することができるという効果がある。
【００５５】
また、Ｗｅｂサーバと、展示会場がリンクされるためこのＷｅｂサーバが開設しているホームページが保有する情報量を容易に増大させることができる。
【図面の簡単な説明】
【図１】  板金設備商品宣伝システムの概略を説明する概略図である。
【図２】  板金設備商品宣伝システムの動作を説明するフローチャート図である。
【図３】  図２の続きのフローチャート図である。
【図４】  図３の続きのフローチャート図である。
【図５】  図４の続きのフローチャート図である。
【図６】  図５の続きのフローチャート図である。
【図７】  画面を説明する説明図である。
【図８】  画面を説明する説明図である。
【図９】  画面を説明する説明図である。
【図１０】  図面を説明する説明図である。
【符号の説明】
１  板金設備商品宣伝システム
３  展示会場
５  ユーザコンピュータ
７  ユーザコンピュータ
９  ブース
１１  ブース
１３  ホームページ１５  端末コンピュータ
１７  端末コンピュータ
【図１】
0003672881.tif 000002
【図２】
0003672881.tif 000003
【図３】
0003672881.tif 000004
【図４】
0003672881.tif 000005
【図５】
0003672881.tif 000006
【図６】
0003672881.tif 000007
【図７】
0003672881.tif 000008
【図８】
0003672881.tif 000009
【図９】
0003672881.tif 000010
【図１０】
0003672881.tif 000011